(57)【要約】 【課題】半帖以上の大型の畳表に適用でき、省力化ができ、畳表を直線的に折り曲げて畳表の膨らみを解消することができる畳縫着装置に取り付ける畳表折り曲げ機を提供する。【解決手段】畳床を載置する載せ台と、この載せ台に畳床を押さえつける畳締め付け手段と、前記畳床に畳表を縫着する縫着機とを備える畳縫着装置に取り付ける畳表折り曲げ機であって、前記載せ台の上面に配置されて載せ台のフレーム５に取り付けられる下部表曲げ手段と２、前記畳抑え手段の下面に取り付けられて畳表を押さえる上部表押さえ手段３とを備え、前記下部表曲げ手段２は端部に回動可能な折り曲げ部材８を有することを特徴とする。【選択図】    図１
2008261184.tif 000002
【特許請求の範囲】
【請求項１】
畳床を載置する載せ台と、該載せ台に畳床を押さえつける畳締め付け手段と、前記畳床に畳表を縫着する縫着機とを備える畳縫着装置に取り付ける畳表折り曲げ機であって、前記載せ台上面に配置される下部表曲げ手段と、前記畳締め付け手段の下面に取り付けられて畳表を押さえる上部表押さえ手段とを備え、前記下部表曲げ手段は端部に回動可能な折り曲げ部材を有することを特徴とする畳表折り曲げ機。
【請求項２】
前記折り曲げ部材を回動可能に支持する回動支持部材を備え、前記折り曲げ部材は１２０度回動可能とされると共に２ｍ以上にされ、且つ、前記上部表押さえ手段の前端辺は鋭角に形成されると共に２ｍ以上にされていることを特徴とする請求項１記載の畳表折り曲げ機。
【発明の詳細な説明】
【技術分野】
【０００１】
本発明は、畳縫着装置に取り付ける畳表折り曲げ機に関し、より詳細には、縁無畳用の畳表を折り曲げる加工に畳縫着装置を利用した畳表折り曲げ機に関するものである。
【背景技術】
【０００２】
最近、縁無畳の需要が増加し、その縁無畳の生産における作業の機械化、省力化が進められている。その一例として、畳縫着装置とは別に畳表を折り曲げるためだけに使用する畳表折り曲げ機が知られている。畳縫着装置とは別の畳表折り曲げ機は、それ用の設置場所が必要であると共に、加工した畳表を畳縫着装置のところまで運搬しなければならず、労力がかかった。また、畳縫着装置と別装置となるため高価であった。
【０００３】
そこで、１組の畳表折り曲げ機及び畳縫着装置を割り当てて配設した構成として設置場所を節約すると共に、確実に畳表の膨らみを解消し、縁無し畳の縫着ができる折り曲げ機能付きの畳表折り曲げ縫着装置が提案されている（例えば、特許文献１）。
【０００４】
この特許文献１の畳表折り曲げ縫着装置は、畳表を被せた畳床を載せるテーブルと、畳表を畳床の上前又は下前に折り曲げ、保持する畳表折曲機と、畳床の上前又は下前に沿って移動する縫着機とを設けて構成されている。そして、畳表折曲機はテーブルに載せた畳床の上前又は下前から突出する畳表の余剰を挟持して前記畳床から遠ざかる向きに引っ張って該畳表を緊張状態にする引っ張り部と、前記緊張状態にある畳表を畳床に押え付けて該畳表を緊張保持状態とする押え部とを備える。さらに、畳表折曲機は前記緊張保持状態にある畳表の上前又は下前から突出する畳表の余剰を該上前又は下前に上方から折り曲げて該畳表を折曲保持状態とする折り曲げ部を備える。そして、縫着機で畳表折曲機の折り曲げ部により折曲保持状態とされた畳表を畳床の上前又は下前に縫着する。
この特許文献１の畳表折り曲げ縫着装置の畳表折曲機は、引っ張り部と押え部と折り曲げ部とを備えるので、大変機能的で使い勝手がよくて畳表の膨らみを解消することができる。
【０００５】
【特許文献１】特開２００５−１３９７２７号公報
【発明の開示】
【発明が解決しようとする課題】
【０００６】
しかしながら、上記特許文献１の畳表折り曲げ縫着装置の畳表折曲機は、引っ張り部と押え部と折り曲げ部とを備える等で、沢山の機械的な機能を備えているため、装置がそれだけ複雑となり、大型になり、高価となった。
【０００７】
本発明は、上記のような問題点に鑑みてなされたものであって、半帖以上の大型の畳表にも適用でき、省力化ができ、畳表を直線的に折り曲げて畳表の膨らみを解消することができる畳縫着装置に取り付ける畳表折り曲げ機を提供することを目的とする。
【課題を解決するための手段】
【０００８】
請求項１に係る発明の畳表折り曲げ機は、上述のような目的を達成するために、畳床を載置する載せ台と、該載せ台に畳床を押さえつける畳締め付け手段と、前記畳床に畳表を縫着する縫着機とを備える畳縫着装置に取り付ける畳表折り曲げ機であって、前記載せ台上面に配置される下部表曲げ手段と、前記畳締め付け手段の下面に取り付けられて畳表を押さえる上部表押さえ手段とを備え、前記下部表曲げ手段は端部に回動可能な折り曲げ部材を有することを特徴とする。
【０００９】
請求項２に係る発明は、請求項１記載の畳表折り曲げ機において、前記折り曲げ部材を回動可能に支持する回動支持部材を備え、前記折り曲げ部材は１２０度回動可能とされると共に２ｍ以上にされ、且つ、前記上部表押さえ手段の前端辺は鋭角に形成されると共に２ｍ以上にされていることを特徴とする。
【発明の効果】
【００１０】
本発明の請求項１に係る畳表折り曲げ機によれば、前記載せ台上面に配置される下部表曲げ手段と、前記畳締め付け手段の下面に取り付けられて畳表を押さえる上部表押さえ手段とを備え、前記下部表曲げ手段は端部に回動可能な折り曲げ部材を有するのみであるので、大がかりな機能を備えないので構成が簡単である。そのため、大幅に価格を抑えることができる。また、上部表押さえ手段できっちりと押さえて折り曲げるので、膨らみの原因の１つの曲がりの悪さをなくすことができ、畳表を直線的に折り曲げて畳表の膨らみを解消することができる。また、畳縫着装置に取り付けて使用すれば、別置きの折り曲げ機のように運搬しなくてよいから省力化を向上させることができる。
【００１１】
請求項２に係る発明によれば、請求項１記載の畳表折り曲げ機の効果に加え、一層大型の畳表の折り曲げが確実にできる。
【発明を実施するための最良の形態】
【００１２】
（実施の形態）
次に、本発明の最良の実施の形態を図面に基づいて詳細に説明する。
【００１３】
図１は、本発明に係る畳表折り曲げ機の実施の形態を示す分解斜視図、図２はその下部表曲げ手段を取り付けた状態の断面図、図３はその上部表押さえ手段を取り付けた状態の断面図、図４は上部表押さえ手段の調整金物の斜視図である。
本実施例の畳表折り曲げ機１は、ずれないように押さえつけた畳表の縁部を所定の寸法に折り曲げる下部表曲げ手段２と、下部表曲げ手段２に畳表を押さえつける上部表押さえ手段３とを備える。そして、下部表曲げ手段２は、畳縫着装置４の畳床を載置する載せ台のフレーム５に取り付けられる。上部表押さえ手段３は、畳縫着装置４の畳締め付け手段のアーム６に取り付けられる。
【００１４】
下部折り曲げ手段２は、図２に示すように、矩形の本体部７とその短辺方向の一端に回動可能に取り付けられた矩形の折り曲げ部材８とからなり、プラスチックの板から形成される。折り曲げ部材８は、本体部７に複数の蝶番等の回動支持部材９により、その回動軸中心に水平方向から１２０度は回動可能に連結されて支持される。この場合、本体部７と回動支持部材９のそれぞれ対向する辺は平行にされている。また、対向する辺の長さLは、畳半帖以上の約２００ｃｍ以上にされ、１帖ものの折り曲げが可能とされ、大型の畳表の折り曲げができる。
【００１５】
また、本体部７には、畳縫着装置のフレーム５に下部折り曲げ手段２を取り付けるため、取り付け手段である複数本のボルト１０、１１が対になって長手方向に沿って固着されている。対の一方のボルト１０に、取り付け手段である固定金物１２に設けられた穴１２aを通してはめ、ボルト１０の端部から蝶ナット１３が螺着される。また、対の他方のボルト１１には、取り付け手段である調整金物１４に設けられた長穴１４aを通してはめ、ボルト１１の端部から蝶ナット１３が螺着される。固定金物１２と調整金物１４はそれぞれL字形状の部材からなり、これらでフレーム５を両側から挟さみ付けることで畳縫着装置のフレーム５に下部折り曲げ手段２を固定する。
【００１６】
上部表押さえ手段３は、下部折り曲げ手段２に載置した畳表Sを上方から押さえつけてずれないように固定する働きをするもので、プラスチックの矩形の板部材から２ｍ以上の長さに形成される。図３，図４に示すように、上部押さえ手段３の前端辺３ａは鋭角に、例えば３０度に形成されると共に硬くされ、畳表を押さえて曲げても容易に変形しないようにされている。そして、上部表押さえ手段３には、畳縫着装置の畳締め付け手段のアーム６に取り付けるため、取り付け部材である複数本のボルト１５が対になって長手方向に沿って固着されている。対の一方のボルト１５は、上部調整金物１６に設けられた長穴１６aを通した端部から蝶ナット１７が螺着され、上部調整金物１６の長穴のない延長辺１６ｂは対の他方のボルト側に向けて止められる。同様に、対の他方のボルト１５は、調整金物１６に設けられた長穴１６aを通した端部から蝶ナット１７が螺着され、延長辺１６ｂは他方の側に向けられて止められる。上部調整金物１６は階段形状の部材からなり、これらでアーム５を挟さみ付けると共に延長辺１６ｂで吊すことで畳縫着装置のアーム６に上部押さえ手段３を固定する。
【００１７】
次に、上記のように構成してなる本願発明の畳表折り曲げ機１の畳縫着装置への取り付けから、それを用いる畳表折り曲げ作業、縁無畳縫着作業について説明する。
【００１８】
先ず、畳表折り曲げ機１を取り付けるには、下部表曲げ手段２を畳縫着装置４の載せ台中央部のフレーム５に載せ、そのボルト１０に固定金物１２に設けられた穴１２aを嵌め蝶ナット１３を螺着し、固定金物１２の山側壁１２ｂが折り曲げ部材８の本体側に対向する辺と平行になるように固定する。続いて、ボルト１１に調整金物１４に設けられた長穴１４aを嵌め、蝶ナット１３を螺着すると共に、載せ台中央フレーム５を固定金物１２と調整金物１４で挟み付けることにより下部表曲げ手段２を固定する。
【００１９】
次いで、上部表押さえ手段３を畳締め付けアーム６に取り付ける。対のボルト１５にそれぞれ上部調整金物１６に設けられた長穴１６aを通した端部から蝶ナット１７が螺着する。このとき、上部調整金物１６の長穴のない延長辺１６ｂは対の他方のボルト側に向けて仮止めする。そして、畳縫着装置４の畳締め付け手段の下方に配置し、アーム６の上面に調整金物１６の延長辺１６ｂを引っ掛ける。次いで、位置決めして蝶ナット１７を締め付けて上部表押さえ手段３を畳締め付け手段の下面に取り付ける。
【００２０】
次に、畳表を折り曲げる作業は、畳表Ｓを下部表曲げ手段２に載せ、その本体部７の端縁に曲げたい位置を合わせ、さらに上部表押さえ手段３の前端辺を合わせることで位置合わせをし、畳締め付け手段を下降させて畳表Ｓを押さえて下部表曲げ手段２に固定する。この固定作業の前又は後に、畳表Ｓの折り曲げ部に温水スチームをかける等のい草の柔軟処理をすると美しく曲げることができる。さらに、折り曲げ位置にあたる上部表押さえ手段３の前端辺３ａに沿ってマチ針で折れ目を付けることでより美しく曲げることができるようになる。
【００２１】
次いで、下部表曲げ手段２の折り曲げ部材８を上方に９０度以上、好ましくは１２０度位回動し、しばらくその状態を維持することで畳表に折れ目を付ける。
【００２２】
次いで、畳表の対向する側の折り曲げ作業を行う。
畳締め付け手段を上昇させて畳表Ｓの締め付けを緩め、１８０度回して折れ目を付ける側を下部表曲げ手段２の折り曲げ部材８側に配置し、上記と同様にして位置合わせをして固定する。以下上記と同様に、柔軟処理、予備折れ目付けをした後、折り曲げ部材８を上方に９０度以上、好ましくは１２０度位回動し、しばらくその状態を維持することで畳表に折れ目を付ける。
【００２３】
畳表の縫着は、先ず、両側を折り曲げた畳表を図示していない畳框縫い機で畳床に畳表を引き両框を縫いつける。次に、畳表折り曲げ機を装着した畳縫着装置４から下部表曲げ手段２を取り外し、畳載せ台に載置して位置合わせして畳締め付け手段を下降させて畳を押さえて固定する。このとき上部表押さえ手段３は取り付けたままでもよい。
【００２４】
次いで、畳縫着機２０を作動して畳表を縫着する。これにより縁無畳を完成する。なお、この畳縫着装置４は、通常の畳である縁あり畳表の縁部を切断して、布製の縁を逢着する装置であり、図５に概略構成を示すように、縫着機２０と、畳載せ台２２と，畳締め付け手段２４、縁供給機２６と、操作盤２８と、図示していない縁部切断機とを備えている。
【００２５】
上記のように構成してなる本願発明の畳表折り曲げ機は、畳縫着装置に取り付けて使用するので、畳表を直線的に折り曲げて畳表の膨らみを解消することができ、別々の装置に比べて、畳曲げと縫着を行う装置全体として簡単にでき、コストを低減できる。また、別々の装置に比べて、縫着作業と折り曲げ作業を縫着装置で行うので労力を軽減できる。
【００２６】
なお、本発明においては、上述の例に限られず、容易に考えつく程度で変更することが可能である。例えば、下部表曲げ手段２と上部表押さえ手段３を矩形のプラスチック板から構成する例で説明したが、木製又は金属製又はこれらを組み合わせたものとしてもよい。また、下部表曲げ手段２の対向する辺部、折り曲げ部材等畳表に作用する部分近辺をアルミニウム等から構成したフレーム構造又はアルミニウム等の金属とプラスチック又は金属と木材とから構成してもよい。また、上部表押さえ手段３の前端辺の鋭角を金属又はプラスチック等の硬質の部材で形成してもよい。
さらに、下部表曲げ手段２及び上部表押さえ手段３の取り付け手段をボルト、固定金物、蝶ナットで構成した例で説明したが、縫着装置のフレームや畳締め付け手段のアーム等に係合させて、ずれないように固定できるものであれば、単なる凸部とか凹部を設けたものであってもよい。また、上部表押さえ手段３を畳締め付け手段のアームに取り付ける例で説明したが、その取り付け部材は締め付けのクッション材を押さえる部材２４ａに取り付けるように構成したものであってもよい。
【図面の簡単な説明】
【００２７】
【図１】本発明に係る畳表折り曲げ機の１実施例の分解斜視図である。
【図２】その下部表曲げ手段を取り付けた状態の要部の断面図である。
【図３】その上部表押さえ手段を取り付けた状態の要部の断面図である。
【図４】その上部表押さえ手段の調整金物を示す斜視図である。
【図５】本願発明の畳表折り曲げ機を取り付けて使用する畳縫着装置の斜視図である。
【符号の説明】
【００２８】
１    折り曲げ機
２    下部表曲げ手段
３    上部表押さえ手段
４    畳縫着装置
５    載せ台のフレーム
６    畳締め付け手段のアーム
７    本体部
８    折り曲げ部材
９    回動支持部材
１０、１１，１５  ボルト
１２  固定金物  
１４  調整金物
１６  上部調整金物
【図１】
2008261184.tif 000003
【図２】
2008261184.tif 000004
【図３】
2008261184.tif 000005
【図４】
2008261184.tif 000006
【図５】
2008261184.tif 000007
【手続補正書】
【提出日】平成19年5月16日(2007.5.16)
【手続補正１】
【補正対象書類名】図面
【補正対象項目名】図１
【補正方法】変更
【補正の内容】
【図１】
2008261184.tif 000008
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
畳床を載置するためのフレーム（５）によって形成される載せ台（２２）と、前記載せ台（２２）に載置された畳床を押さえつけるためのアーム（６）を含む畳締め付け手段（２４）と、前記畳床に畳表を縫着するための縫着機（２０）とを備える畳縫着装置（４）に取り外し可能に取り付けられる畳表折り曲げ機（１）であって、
前記フレーム（５）に取り外し可能に取り付けられ、矩形の本体部（７）と、前記本体部（７）の一端に回動可能に取り付けられた矩形の折り曲げ部材（８）とからなる下部表曲げ手段（２）と、
前記アーム（６）に取り外し可能に取り付けられ、矩形の板部材からなり、前端辺（３ａ）が鋭角に形成されている上部表押さえ手段（３）とを備える、畳表折り曲げ機（１）。
【請求項２】
前記本体部（７）の長さ（Ｌ）は、２ｍ以上であり、
前記上部表押さえ手段（３）を形成する矩形の板部材の長さは、２ｍ以上であることを特徴とする、請求項１に記載の畳表折り曲げ機（１）。
【請求項３】
畳床を載置するためのフレーム（５）によって形成される載せ台（２２）と、前記載せ台（２２）に載置された畳床を押さえつけるためのアーム（６）を含む畳締め付け手段（２４）と、前記畳床に畳表を縫着するための縫着機（２０）とを備える畳縫着装置（４）を用いて、縁無畳を製造するための方法であって、
矩形の本体部（７）と、前記本体部（７）の一端に回動可能に取り付けられた矩形の折り曲げ部材（８）とからなる下部表曲げ手段（２）を、前記フレーム（５）に取り付ける第１の工程と、
矩形の板部材からなり、前端辺（３ａ）が鋭角に形成されている上部表押さえ手段（３）を、前記アーム（６）に取り付ける第２の工程と、
畳表（Ｓ）を前記下部表曲げ手段（２）の上に載せる第３の工程と、
前記本体部（７）と前記折り曲げ部材（８）との境界である端縁に曲げたい位置を合わせる第４の工程と、
前記畳締め付け手段（２４）を下降させて、前記アーム（６）に取り付けられた前記上部表押さえ手段（３）によって前記畳表（Ｓ）を押さえる第５の工程と、
前記畳表（Ｓ）の折り曲げ部を柔軟処理する第６の工程と、
前記上部表押さえ手段（３）の前端辺（３ａ）に沿って、マチ針で折れ目を付ける第７の工程と、
前記下部表曲げ手段（２）の前記折り曲げ部材（８）を上方に９０度以上回動して、前記畳表（Ｓ）に折れ目を付ける第８の工程と、
前記畳締め付け手段（２４）を上昇させて前記畳表（Ｓ）の締め付けを緩める第９の工程と、
前記畳表（Ｓ）を回して、既に折れ目が付いている側と対向する側を前記下部表曲げ手段（２）の上に載せる第１０の工程と、
前記第１０の工程の後、前記対向する側に対しても、前記第４〜第８の工程を施して、折れ目を付ける第１１の工程と、
前記第１〜第１１の工程で得られた前記畳表（Ｓ）を畳床に敷き、畳框縫い機で、両框を縫いつける第１２の工程と、
前記畳縫着装置（４）から前記下部表曲げ手段（２）を取り外す第１３の工程と、
前記下部表曲げ手段（２）が取り外された前記載せ台（２２）に、両框が縫いつけられた畳表及び畳床を載置して、位置合わせを行い、前記畳締め付け手段（２４）を下降させて、前記畳表及び畳床を固定する第１４の工程と、
前記畳縫着機（２）を作動して、前記畳床に前記畳表（Ｓ）を縫着して、前記縁無畳を完成する第１５の工程とを備えることを特徴とする、縁無畳の製造方法。
【請求項４】
前記本体部（７）の長さ（Ｌ）は、２ｍ以上であり、
前記上部表押さえ手段（３）を形成する矩形の板部材の長さは、２ｍ以上であり、
前記畳表及び前記畳床として半帖以上の大きさのものを使用し、半帖以上の縁無畳を製造することを特徴とする、請求項３に記載の縁無畳の製造方法。
【手続補正２】
【補正対象書類名】明細書
【補正対象項目名】０００８
【補正方法】変更
【補正の内容】
【０００８】
請求項１に係る発明の畳表折り曲げ機は、上述のような目的を達成するために、畳床を載置するためのフレーム（５）によって形成される載せ台（２２）と、載せ台（２２）に載置された畳床を押さえつけるためのアーム（６）を含む畳締め付け手段（２４）と、畳床に畳表を縫着するための縫着機（２０）とを備える畳縫着装置（４）に取り外し可能に取り付けられる畳表折り曲げ機（１）であって、フレーム（５）に取り外し可能に取り付けられ、矩形の本体部（７）と、本体部（７）の一端に回動可能に取り付けられた矩形の折り曲げ部材（８）とからなる下部表曲げ手段（２）と、アーム（６）に取り外し可能に取り付けられ、矩形の板部材からなり、前端辺（３ａ）が鋭角に形成されている上部表押さえ手段（３）とを備える。
【手続補正３】
【補正対象書類名】明細書
【補正対象項目名】０００９
【補正方法】変更
【補正の内容】
【０００９】
請求項２に係る発明において、本体部（７）の長さ（Ｌ）は、２ｍ以上であり、上部表押さえ手段（３）を形成する矩形の板部材の長さは、２ｍ以上であることを特徴とする。
また、請求項３に係る発明は、畳床を載置するためのフレーム（５）によって形成される載せ台（２２）と、載せ台（２２）に載置された畳床を押さえつけるためのアーム（６）を含む畳締め付け手段（２４）と、畳床に畳表を縫着するための縫着機（２０）とを備える畳縫着装置（４）を用いて、縁無畳を製造するための方法であって、矩形の本体部（７）と、本体部（７）の一端に回動可能に取り付けられた矩形の折り曲げ部材（８）とからなる下部表曲げ手段（２）を、フレーム（５）に取り付ける第１の工程と、矩形の板部材からなり、前端辺（３ａ）が鋭角に形成されている上部表押さえ手段（３）を、アーム（６）に取り付ける第２の工程と、畳表（Ｓ）を下部表曲げ手段（２）の上に載せる第３の工程と、本体部（７）と折り曲げ部材（８）との境界である端縁に曲げたい位置を合わせる第４の工程と、畳締め付け手段（２４）を下降させて、アーム（６）に取り付けられた上部表押さえ手段（３）によって畳表（Ｓ）を押さえる第５の工程と、畳表（Ｓ）の折り曲げ部を柔軟処理する第６の工程と、上部表押さえ手段（３）の前端辺（３ａ）に沿って、マチ針で折れ目を付ける第７の工程と、下部表曲げ手段（２）の折り曲げ部材（８）を上方に９０度以上回動して、畳表（Ｓ）に折れ目を付ける第８の工程と、畳締め付け手段（２４）を上昇させて畳表（Ｓ）の締め付けを緩める第９の工程と、畳表（Ｓ）を回して、既に折れ目が付いている側と対向する側を下部表曲げ手段（２）の上に載せる第１０の工程と、第１０の工程の後、対向する側に対しても、第４〜第８の工程を施して、折れ目を付ける第１１の工程と、第１〜第１１の工程で得られた畳表（Ｓ）を畳床に敷き、畳框縫い機で、両框を縫いつける第１２の工程と、畳縫着装置（４）から下部表曲げ手段（２）を取り外す第１３の工程と、下部表曲げ手段（２）が取り外された載せ台（２２）に、両框が縫いつけられた畳表及び畳床を載置して、位置合わせを行い、畳締め付け手段（２４）を下降させて、畳表及び畳床を固定する第１４の工程と、畳縫着機（２）を作動して、畳床に畳表（Ｓ）を縫着して、縁無畳を完成する第１５の工程とを備えることを特徴とする。
さらに、請求項４に係る発明において、本体部（７）の長さ（Ｌ）は、２ｍ以上であり、上部表押さえ手段（３）を形成する矩形の板部材の長さは、２ｍ以上であり、畳表及び畳床として半帖以上の大きさのものを使用し、半帖以上の縁無畳を製造することを特徴とする。
【手続補正４】
【補正対象書類名】明細書
【補正対象項目名】００２３
【補正方法】変更
【補正の内容】
【００２３】
畳表の縫着は、先ず、両側を折り曲げた畳表を図示していない畳框縫い機で畳床に畳表を敷き両框を縫いつける。次に、畳表折り曲げ機を装着した畳縫着装置４から下部表曲げ手段２を取り外し、畳載せ台に載置して位置合わせして畳締め付け手段を下降させて畳を押さえて固定する。このとき上部表押さえ手段３は取り付けたままでもよい。
【手続補正５】
【補正対象書類名】図面
【補正対象項目名】図５
【補正方法】変更
【補正の内容】
【図５】
2008261184.tif 000009